(57)【要約】【課題】本発明は防雨水晶天窓を開示した。【解決手段】家屋本体を含み、前記家屋本体の中には部屋が設けられ、前記部屋の左上には外に開口した窓が連通するように設けられ、前記部屋の左端壁の中には上方に開口した第一収納チャンバが設けられ、前記部屋と前記第一収納チャンバとの間には回転チャンバが連通するように設けられ、前記回転チャンバの中には窓閉め機構が設けられ、前記窓閉め機構は雨が降るときに前記窓を閉じることができ、前記第一収納チャンバの中には第一スライド溝と前記第一スライド溝の右側に位置した第二スライド溝とが前後に対称的に、且つ連通するように設けられ、前記第一スライド溝と前記第二スライド溝との間には昇降機構が設けられる。【選択図】図１
2020183692.tif 000002
【特許請求の範囲】
【請求項１】
正面視で、家屋本体を含み、前記家屋本体の中には部屋が設けられ、前記部屋の左上には外に開口した窓が連通するように設けられ、前記部屋の左端壁の中には上方に開口した第一収納チャンバが設けられ、前記部屋と前記第一収納チャンバとの間には回転チャンバが連通するように設けられ、前記回転チャンバの中には窓閉め機構が設けられ、前記窓閉め機構は雨が降るときに前記窓を閉じることができ、前記第一収納チャンバの中には第一スライド溝と前記第一スライド溝の右側に位置した第二スライド溝とが前後に対称的に、且つ連通するように設けられ、前記第一スライド溝と前記第二スライド溝との間には昇降機構が設けられ、前記昇降機構には水晶筒部品が固定的に設けられ、前記昇降機構が前記水晶筒部品を昇降させることができ、前記水晶筒部品は月の光を部屋に集めることができ、前記第一収納チャンバの左端壁には押しスイッチ部品が固定的に設けられ、前記第一収納チャンバの左端壁にはコンセントが固定的に設けられ、前記家屋本体の頂面には前記コンセントの通電状態を制御できる降雨反応機構が固定的に設けられ、前記降雨反応機構は雨が降るときに前記コンセントを通電させることができ、二つの前記第二スライド溝の間には永久磁石ロッドがスライドできるように設けられ、前記永久磁石ロッドと前記第二スライド溝の底壁との間には第一バネが連結され、前記第二スライド溝の底壁には前記永久磁石ロッドと引き合うことができる電磁石が固定的に設けられ、前記押しスイッチ部品が反応する時に前記電磁石を通電させて前記永久磁石ロッドを吸引させることができ、前記回転チャンバの中には第一回転軸が回転できるように設けられ、前記第一回転軸には歯車と前記歯車の前側に位置した円盤とが固定的に設けられ、前記永久磁石ロッドの右端面には前記歯車と噛合したラックが固定的に設けられ、前記回転チャンバの底壁には右方に開口した第二収納チャンバが連通するように設けられ、前記円盤の底端には前記第二収納チャンバの中に伸びたガラス板が固定的に設けられ、前記円盤は前記ガラス板を回転連動させて前記窓を閉じることができ、前記第一収納チャンバの上方には円筒が設けられ、前記円筒の中には集光シートと前記集光シートの下方に位置した屈折水晶とが設けられ、前記集光シートから集められた月光が前記屈折水晶によって屈折し、特殊な光の効果が生み出されて前記部屋の中に照射され、前記第一収納チャンバの底端には第一固定ブロックが固定的に設けられ、前記永久磁石ロッドの頂面には前記第一固定ブロックとヒンジによって連結された第一ヒンジロッドが固定的に設けられていることを特徴とする防雨水晶天窓。
【請求項２】
前後二つの第一スライド溝の中には第一スライドブロックがスライドできるように設けられ、前記第一スライドブロックの中にはモーターが固定的に設けられ、前記モーターの前後端壁の中には第一空きチャンバが対称的に設けられ、前記モーターには前記第一空きチャンバに伸びている駆動軸が前後に対称的に伝動できるように設けられ、前記駆動軸には第一傘歯車が固定的に設けられ、前記第一空きチャンバの頂壁にはネジロッドが回転できるように設けられ、前記ネジロッドの底端には前記第一傘歯車と噛合した第二傘歯車が固定的に設けられ、前記ネジロッドの上方には第二スライドブロックが上下にスライドできるように設けられ、前記第二スライドブロックの中には前記ネジロッドと噛合した雌ネジが設けられ、前記円筒には連結アームが前後に対称的に固定的に設けられ、前記第二スライドブロックの頂面には前記連結アームとヒンジによって連結された第二ヒンジロッドが固定的に設けられていることを特徴とする請求項１に記載の防雨水晶天窓。
【請求項３】
前記第一収納チャンバの左端壁には右方に開口した第二空きチャンバが設けられ、前記第二空きチャンバの中には第二回転軸が回転できるように設けられ、前記第二回転軸には長ロッドが固定的に設けられ、前記長ロッドと前記第二空きチャンバの底壁との間には第二バネが連結され、前記第二空きチャンバの頂壁には前記電磁石と前記モーターと通電できるように連結されたスイッチが固定的に設けられ、前記長ロッドの頂面には前記スイッチを押すことができる押しロッドが固定的に設けられていることを特徴とする請求項１に記載の防雨水晶天窓。
【請求項４】
前記家屋本体の頂面には第二固定ブロックが固定的に設けられ、前記第二固定ブロックの中には上方に開口した水貯めチャンバが設けられ、前記水貯めチャンバの左右端壁の間には導電棒が固定的に設けられ、前記導電棒が乾燥状態にあるときは導電しなく、前記導電棒が完全に水に浸るとき、前記導電棒が導電し、前記水貯めチャンバの後端壁には排水孔が連通するように設けられ、前記水貯めチャンバの底壁には前記コンセントと通電できるように連結されたリレーが固定的に設けられ、前記リレーと前記導電棒とが左右対称であり、且つ前記リレーと前記導電棒との間には電線が通電できるように連結され、前記モーターの左端には前記コンセントの中に挿入されて電気を提供できるプラグが設けられていることを特徴とする請求項１に記載の防雨水晶天窓。
【発明の詳細な説明】
【技術分野】
【０００１】
本発明は部屋装飾分野を取り上げて、具体的には防雨水晶天窓である。
【背景技術】
【０００２】
一般的に家屋の屋根裏は斜面であり、斜面が屋根に沿っているため、屋根裏は普通の部屋より小さく、ほとんどの屋根裏は貯蔵室として使われるが、都会や一部の低層ホテルでは、居住面積が足りなく、貯蔵室としての経済効果が低いため、屋根裏が居住用になることもあり、そのほか、屋根裏の斜面天窓は直接に月の光に照らされることができ、この特性を利用し屋根裏を改造すれば、経済効果を向上させ、人に惹かれることができ、従って、防雨水晶天窓を設計し上記の問題を解決する必要がある。
【先行技術文献】
【特許文献】
【０００３】
【特許文献１】中国特許出願公開第１０７６４０００５号明細書
【発明の概要】
【発明が解決しようとする課題】
【０００４】
本発明の目的は防雨水晶天窓を提供し、それは上記の現在の技術中の問題を解決できる。
【課題を解決するための手段】
【０００５】
上記の課題を解決するため、本発明は以下の技術プランを採用する：本発明の防雨水晶天窓は、家屋本体を含み、前記家屋本体の中には部屋が設けられ、前記部屋の左上には外に開口した窓が連通するように設けられ、前記部屋の左端壁の中には上方に開口した第一収納チャンバが設けられ、前記部屋と前記第一収納チャンバとの間には回転チャンバが連通するように設けられ、前記回転チャンバの中には窓閉め機構が設けられ、前記窓閉め機構は雨が降るときに前記窓を閉じることができ、前記第一収納チャンバの中には第一スライド溝と前記第一スライド溝の右側に位置した第二スライド溝とが前後に対称的に、且つ連通するように設けられ、前記第一スライド溝と前記第二スライド溝との間には昇降機構が設けられ、前記昇降機構には水晶筒部品が固定的に設けられ、前記昇降機構が前記水晶筒部品を昇降させることができ、前記水晶筒部品は月の光を部屋に集めることができ、前記第一収納チャンバの左端壁には押しスイッチ部品が固定的に設けられ、前記第一収納チャンバの左端壁にはコンセントが固定的に設けられ、前記家屋本体の頂面には前記コンセントの通電状態を制御できる降雨反応機構が固定的に設けられ、前記降雨反応機構は雨が降るときに前記コンセントを通電させることができ、二つの前記第二スライド溝の間には永久磁石ロッドがスライドできるように設けられ、前記永久磁石ロッドと前記第二スライド溝の底壁との間には第一バネが連結され、前記第二スライド溝の底壁には前記永久磁石ロッドと引き合うことができる電磁石が固定的に設けられ、前記押しスイッチ部品が反応する時に前記電磁石を通電させて前記永久磁石ロッドを吸引させることができ、前記回転チャンバの中には第一回転軸が回転できるように設けられ、前記第一回転軸には歯車と前記歯車の前側に位置した円盤とが固定的に設けられ、前記永久磁石ロッドの右端面には前記歯車と噛合したラックが固定的に設けられ、前記回転チャンバの底壁には右方に開口した第二収納チャンバが連通するように設けられ、前記円盤の底端には前記第二収納チャンバの中に伸びたガラス板が固定的に設けられ、前記円盤は前記ガラス板を回転連動させて前記窓を閉じることができ、前記第一収納チャンバの上方には円筒が設けられ、前記円筒の中には集光シートと前記集光シートの下方に位置した屈折水晶とが設けられ、前記集光シートから集められた月光が前記屈折水晶によって屈折し、特殊な光の効果が生み出されて前記部屋の中に照射され、前記第一収納チャンバの底端には第一固定ブロックが固定的に設けられ、前記永久磁石ロッドの頂面には前記第一固定ブロックとヒンジによって連結された第一ヒンジロッドが固定的に設けられている。
【０００６】
優選の技術プランとして、前後二つの第一スライド溝の中には第一スライドブロックがスライドできるように設けられ、前記第一スライドブロックの中にはモーターが固定的に設けられ、前記モーターの前後端壁の中には第一空きチャンバが対称的に設けられ、前記モーターには前記第一空きチャンバに伸びている駆動軸が前後に対称的に伝動できるように設けられ、前記駆動軸には第一傘歯車が固定的に設けられ、前記第一空きチャンバの頂壁にはネジロッドが回転できるように設けられ、前記ネジロッドの底端には前記第一傘歯車と噛合した第二傘歯車が固定的に設けられ、前記ネジロッドの上方には第二スライドブロックが上下にスライドできるように設けられ、前記第二スライドブロックの中には前記ネジロッドと噛合した雌ネジが設けられ、前記円筒には連結アームが前後に対称的に固定的に設けられ、前記第二スライドブロックの頂面には前記連結アームとヒンジによって連結された第二ヒンジロッドが固定的に設けられ、前記モーターが前記ネジロッドを回転連動させ、前記ネジロッドが前記雌ネジにより前記第二スライドブロックを上下にスライド連動させ、前記第二スライドブロックが前記第二ヒンジロッドを連動させて前記円筒を昇降させる。
【０００７】
優選の技術プランとして、前記第一収納チャンバの左端壁には右方に開口した第二空きチャンバが設けられ、前記第二空きチャンバの中には第二回転軸が回転できるように設けられ、前記第二回転軸には長ロッドが固定的に設けられ、前記長ロッドと前記第二空きチャンバの底壁との間には第二バネが連結され、前記第二空きチャンバの頂壁には前記電磁石と前記モーターと通電できるように連結されたスイッチが固定的に設けられ、前記長ロッドの頂面には前記スイッチを押すことができる押しロッドが固定的に設けられ、前記長ロッドが回転し前記押しロッドに前記スイッチを押させ、前記スイッチが押されて前記モーターの通電状態を解除し、同時に前記電磁石が通電され前記永久磁石ロッドを吸引する。
【０００８】
優選の技術プランとして、前記家屋本体の頂面には第二固定ブロックが固定的に設けられ、前記第二固定ブロックの中には上方に開口した水貯めチャンバが設けられ、前記水貯めチャンバの左右端壁の間には導電棒が固定的に設けられ、前記導電棒が乾燥状態にあるときは導電しなく、前記導電棒が完全に水に浸るとき、前記導電棒が導電し、前記水貯めチャンバの後端壁には排水孔が連通するように設けられ、前記水貯めチャンバの底壁には前記コンセントと通電できるように連結されたリレーが固定的に設けられ、前記リレーと前記導電棒とが左右対称であり、且つ前記リレーと前記導電棒との間には電線が通電できるように連結され、前記モーターの左端には前記コンセントの中に挿入されて電気を提供できるプラグが設けられ、前記導電棒が完全に雨水に浸るとき、前記リレーと、前記導電棒と、前記電線とが電気回路を形成し、このとき前記リレーが通電された後に前記コンセントを通電させ、前記コンセントが前記プラグによって電気を前記モーターに提供する。
【発明の効果】
【０００９】
本発明の防雨水晶天窓は、反応が速く、照射角度の調整が自在であり、自動化レベルが高く、同時に、本発明の装置は自動的に収納でき、安全で信頼でき、使用寿命も長い。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の防雨水晶天窓の全体構成略図
【図２】図２は図１のＡ―Ａの構成略図
【図３】図３は図１のＣの拡大構成略図
【図４】図４は図１のＤの拡大構成略図
【図５】図５は図１のＥの拡大構成略図
【図６】図６は図１の円筒の左面図
【図７】図７は図１のＢ―Ｂの構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜７に示したように、本発明の防雨水晶天窓は、家屋本体１７を含み、前記家屋本体１７の中には部屋１４が設けられ、前記部屋１４の左上には外に開口した窓１５が連通するように設けられ、前記部屋１４の左端壁の中には上方に開口した第一収納チャンバ１０が設けられ、前記部屋１４と前記第一収納チャンバ１０との間には回転チャンバ４４が連通するように設けられ、前記回転チャンバ４４の中には窓閉め機構９３が設けられ、前記窓閉め機構９３は雨が降るときに前記窓１５を閉じることができ、前記第一収納チャンバ１０の中には第一スライド溝３０と前記第一スライド溝３０の右側に位置した第二スライド溝３９とが前後に対称的に、且つ連通するように設けられ、前記第一スライド溝３０と前記第二スライド溝３９との間には昇降機構９１が設けられ、前記昇降機構９１には水晶筒部品９０が固定的に設けられ、前記昇降機構９１が前記水晶筒部品９０を昇降させることができ、前記水晶筒部品９０は月の光を部屋１４に集めることができ、前記第一収納チャンバ１０の左端壁には押しスイッチ部品９２が固定的に設けられ、前記第一収納チャンバ１０の左端壁にはコンセント１１が固定的に設けられ、前記家屋本体１７の頂面には前記コンセント１１の通電状態を制御できる降雨反応機構９４が固定的に設けられ、前記降雨反応機構９４は雨が降るときに前記コンセント１１を通電させることができ、二つの前記第二スライド溝３９の間には永久磁石ロッド４０がスライドできるように設けられ、前記永久磁石ロッド４０と前記第二スライド溝３９の底壁との間には第一バネ４２が連結され、前記第二スライド溝３９の底壁には前記永久磁石ロッド４０と引き合うことができる電磁石５６が固定的に設けられ、前記押しスイッチ部品９２が反応する時に前記電磁石５６を通電させて前記永久磁石ロッド４０を吸引させることができ、前記回転チャンバ４４の中には第一回転軸４６が回転できるように設けられ、前記第一回転軸４６には歯車４７と前記歯車４７の前側に位置した円盤４５とが固定的に設けられ、前記永久磁石ロッド４０の右端面には前記歯車４７と噛合したラック４８が固定的に設けられ、前記回転チャンバ４４の底壁には右方に開口した第二収納チャンバ１３が連通するように設けられ、前記円盤４５の底端には前記第二収納チャンバ１３の中に伸びたガラス板４３が固定的に設けられ、前記円盤４５は前記ガラス板４３を回転連動させて前記窓１５を閉じることができ、前記第一収納チャンバ１０の上方には円筒２０が設けられ、前記円筒２０の中には集光シート１９と前記集光シート１９の下方に位置した屈折水晶１８とが設けられ、前記集光シート１９から集められた月光が前記屈折水晶１８によって屈折し、特殊な光の効果が生み出されて前記部屋１４の中に照射され、前記第一収納チャンバ１０の底端には第一固定ブロック３７が固定的に設けられ、前記永久磁石ロッド４０の頂面には前記第一固定ブロック３７とヒンジによって連結された第一ヒンジロッド３８が固定的に設けられている。
【００１４】
有益に、前後二つの第一スライド溝３０の中には第一スライドブロック５７がスライドできるように設けられ、前記第一スライドブロック５７の中にはモーター２７が固定的に設けられ、前記モーター２７の前後端壁の中には第一空きチャンバ２６が対称的に設けられ、前記モーター２７には前記第一空きチャンバ２６に伸びている駆動軸２８が前後に対称的に伝動できるように設けられ、前記駆動軸２８には第一傘歯車２９が固定的に設けられ、前記第一空きチャンバ２６の頂壁にはネジロッド２４が回転できるように設けられ、前記ネジロッド２４の底端には前記第一傘歯車２９と噛合した第二傘歯車２５が固定的に設けられ、前記ネジロッド２４の上方には第二スライドブロック２２が上下にスライドできるように設けられ、前記第二スライドブロック２２の中には前記ネジロッド２４と噛合した雌ネジ２３が設けられ、前記円筒２０には連結アーム５５が前後に対称的に固定的に設けられ、前記第二スライドブロック２２の頂面には前記連結アーム５５とヒンジによって連結された第二ヒンジロッド２１が固定的に設けられ、前記モーター２７が前記ネジロッド２４を回転連動させ、前記ネジロッド２４が前記雌ネジ２３により前記第二スライドブロック２２を上下にスライド連動させ、前記第二スライドブロック２２が前記第二ヒンジロッド２１を連動させて前記円筒２０を昇降させる。
【００１５】
有益に、前記第一収納チャンバ１０の左端壁には右方に開口した第二空きチャンバ３２が設けられ、前記第二空きチャンバ３２の中には第二回転軸３５が回転できるように設けられ、前記第二回転軸３５には長ロッド３４が固定的に設けられ、前記長ロッド３４と前記第二空きチャンバ３２の底壁との間には第二バネ３６が連結され、前記第二空きチャンバ３２の頂壁には前記電磁石５６と前記モーター２７と通電できるように連結されたスイッチ３１が固定的に設けられ、前記長ロッド３４の頂面には前記スイッチ３１を押すことができる押しロッド３３が固定的に設けられ、前記長ロッド３４が回転し前記押しロッド３３に前記スイッチ３１を押させ、前記スイッチ３１が押されて前記モーター２７の通電状態を解除し、同時に前記電磁石５６が通電され前記永久磁石ロッド４０を吸引する。
【００１６】
有益的に、前記家屋本体１７の頂面には第二固定ブロック４９が固定的に設けられ、前記第二固定ブロック４９の中には上方に開口した水貯めチャンバ５２が設けられ、前記水貯めチャンバ５２の左右端壁の間には導電棒５１が固定的に設けられ、前記導電棒が乾燥状態にあるときは導電しなく、前記導電棒５１が完全に水に浸るとき、前記導電棒５１が導電し、前記水貯めチャンバ５２の後端壁には排水孔５３が連通するように設けられ、前記水貯めチャンバ５２の底壁には前記コンセント１１と通電できるように連結されたリレー５４が固定的に設けられ、前記リレー５４と前記導電棒５１とが左右対称であり、且つ前記リレー５４と前記導電棒５１との間には電線５０が通電できるように連結され、前記モーター２７の左端には前記コンセント１１の中に挿入されて電気を提供できるプラグ１２が設けられ、前記導電棒５１が完全に雨水に浸るとき、前記リレー５４と、前記導電棒５１と、前記電線５０とが電気回路を形成し、このとき前記リレー５４が通電された後に前記コンセント１１を通電させ、前記コンセント１１が前記プラグ１２によって電気を前記モーター２７に提供する。
【００１７】
以下、付図と上記に説明した本出願の防雨水晶天窓の具体的な構成との参照し、使用方法を詳しく説明する：
【００１８】
晴れの日に、前記電磁石５６が前記永久磁石ロッド４０を反発し、前記永久磁石ロッド４０が前記円筒２０を前記第一収納チャンバ１０の中へ伸びさせ、前記モーター２７が正回転し前記駆動軸２８と前記第一傘歯車２９とを回転連動させ、前記第一傘歯車２９が前記第二傘歯車２５と前記ネジロッド２４とを回転連動させ、前記ネジロッド２４が前記雌ネジ２３によって前記第二スライドブロック２２を上へスライド連動させ、前記ネジロッド２４が前記第二ヒンジロッド２１によって前記円筒２０を上昇させ、上昇した前記円筒２０と前記窓１５とが同じ直線に位置し、月光を前記集光シート１９から集められた後に前記屈折水晶１８によって屈折し、特殊な光の効果が生み出された後に前記部屋１４の中に照射され、このとき装置は前記部屋１４にいい雰囲気を醸し出すことができ、効果が明らかで、エネルギーを節約し、環境に優しい。
【００１９】
雨が降るときに、降雨量が多くないとき、前記導電棒５１が前記水貯めチャンバ５２の水に完全に浸らなく、このとき前記コンセント１１が通電されなく、すなわち前記水晶筒部品が降下しなくて収納されていない。
【００２０】
降雨量が一定の限度を超えたとき、前記導電棒５１が前記水貯めチャンバ５２の水に完全に浸り、前記リレー５４と、前記導電棒５１と、前記電線５０とが電気回路を形成し、このとき前記リレー５４が通電された後に前記コンセント１１を通電させ、前記コンセント１１が前記プラグ１２によって電気を前記モーター２７に提供し、このとき前記モーター２７が通電され逆回転し、このとき前記円筒２０が降下し、前記円筒２０が水平状態になるとき前記円筒２０が前記長ロッド３４を押し、前記長ロッド３４が前記第二回転軸３５を中心に回転し前記押しロッド３３を連動させ、前記押しロッド３３が前記スイッチ３１を押し、前記スイッチ３１が押されて前記モーター２７の通電状態を解除し、同時に前記電磁石５６が通電され前記永久磁石ロッド４０を吸引し、このとき前記円筒２０が降下しなくなり、同時に前記電磁石５６が前記永久磁石ロッド４０を吸引し、前記永久磁石ロッド４０が前記水晶筒部品９０全体を連動させ前記第一収納チャンバ１０の中に収納し、外部の降雨による装置の使用寿命の縮めを防ぎ、装置は自動的に降雨量を判断し、反応が速く、自動化レベルが高い。
【００２１】
以上のように、本発明の防雨水晶天窓は、反応が速く、照射角度の調整が自在であり、自動化レベルが高く、同時に、本発明の装置は自動的に収納でき、安全で信頼でき、使用寿命も長い。
【００２２】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020183692.tif 000003
【図２】
2020183692.tif 000004
【図３】
2020183692.tif 000005
【図４】
2020183692.tif 000006
【図５】
2020183692.tif 000007
【図６】
2020183692.tif 000008
【図７】
2020183692.tif 000009
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
正面視で、家屋本体を含み、前記家屋本体の中には部屋が設けられ、前記部屋の左上には外に開口した窓が連通するように設けられ、前記部屋の左端壁の中には上方に開口した第一収納チャンバが設けられ、前記部屋と前記第一収納チャンバとの間には回転チャンバが連通するように設けられ、前記回転チャンバの中には窓閉め機構が設けられ、前記窓閉め機構は雨が降るときに前記窓を閉じることができ、前記第一収納チャンバの中には第一スライド溝と前記第一スライド溝の右側に位置した第二スライド溝とが前後に対称的に、且つ連通するように設けられ、前記第一スライド溝と前記第二スライド溝との間には昇降機構が設けられ、前記昇降機構には水晶筒部品が固定的に設けられ、前記昇降機構が前記水晶筒部品を昇降させることができ、前記水晶筒部品は月の光を部屋に集めることができ、前記第一収納チャンバの左端壁には押しスイッチ部品が固定的に設けられ、前記収納チャンバの左端壁にはコンセントが固定的に設けられ、前記家屋本体の頂面には前記コンセントの通電状態を制御できる降雨反応機構が固定的に設けられ、前記降雨反応機構は雨が降るときに前記コンセントを通電させることができ、二つの前記第二スライド溝の間には永久磁石ロッドがスライドできるように設けられ、前記永久磁石ロッドと前記第二スライド溝の底壁との間には第一バネが連結され、前記第二スライド溝の底壁には前記永久磁石ロッドと引き合うことができる電磁石が固定的に設けられ、前記押しスイッチ部品が反応する時に前記電磁石を通電させて前記永久磁石ロッドを吸引させることができ、前記回転チャンバの中には第一回転軸が回転できるように設けられ、前記第一回転軸には歯車と前記歯車の前側に位置した円盤とが固定的に設けられ、前記永久磁石ロッドの右端面には前記歯車と噛合したラックが固定的に設けられ、前記回転チャンバの底壁には右方に開口した第二収納チャンバが連通するように設けられ、前記円盤の底端には前記第二収納チャンバの中に伸びたガラス板が固定的に設けられ、前記円盤は前記ガラス板を回転連動させて前記窓を閉じることができ、前記第一収納チャンバの上方には円筒が設けられ、前記円筒の中には集光シートと前記集光シートの下方に位置した屈折水晶とが設けられ、前記集光シートから集められた月光が前記屈折水晶によって屈折し、特殊な光の効果が生み出されて前記部屋の中に照射され、前記円筒の底端には第一固定ブロックが固定的に設けられ、前記永久磁石ロッドの頂面には前記第一固定ブロックとヒンジによって連結された第一ヒンジロッドが固定的に設けられていることを特徴とする防雨水晶天窓。
【請求項２】
前後二つの第一スライド溝の中には第一スライドブロックがスライドできるように設けられ、前記第一スライドブロックの中にはモーターが固定的に設けられ、前記モーターの前後端壁の中には第一空きチャンバが対称的に設けられ、前記モーターには前記第一空きチャンバに伸びている駆動軸が前後に対称的に伝動できるように設けられ、前記駆動軸には第一傘歯車が固定的に設けられ、前記第一空きチャンバの頂壁にはネジロッドが回転できるように設けられ、前記ネジロッドの底端には前記第一傘歯車と噛合した第二傘歯車が固定的に設けられ、前記ネジロッドの上方には第二スライドブロックが上下にスライドできるように設けられ、前記第二スライドブロックの中には前記ネジロッドと噛合した雌ネジが設けられ、前記円筒には連結アームが前後に対称的に固定的に設けられ、前記第二スライドブロックの頂面には前記連結アームとヒンジによって連結された第二ヒンジロッドが固定的に設けられていることを特徴とする請求項１に記載の防雨水晶天窓。
【請求項３】
前記第一収納チャンバの左端壁には右方に開口した第二空きチャンバが設けられ、前記第二空きチャンバの中には第二回転軸が回転できるように設けられ、前記第二回転軸には長ロッドが固定的に設けられ、前記長ロッドと前記第二空きチャンバの底壁との間には第二バネが連結され、前記第二空きチャンバの頂壁には前記電磁石と前記モーターと通電できるように連結されたスイッチが固定的に設けられ、前記長ロッドの頂面には前記スイッチを押すことができる押しロッドが固定的に設けられていることを特徴とする請求項１に記載の防雨水晶天窓。
【請求項４】
前記家屋本体の頂面には第二固定ブロックが固定的に設けられ、前記第二固定ブロックの中には上方に開口した水貯めチャンバが設けられ、前記水貯めチャンバの左右端壁の間には導電棒が固定的に設けられ、前記導電棒が乾燥状態にあるときは導電しなく、前記導電棒が完全に水に浸るとき、前記導電棒が導電し、前記水貯めチャンバの後端壁には排水孔が連通するように設けられ、前記水貯めチャンバの底壁には前記コンセントと通電できるように連結されたリレーが固定的に設けられ、前記リレーと前記導電棒とが左右対称であり、且つ前記リレーと前記導電棒との間には電線が通電できるように連結され、前記モーターの左端には前記コンセントの中に挿入されて電気を提供できるプラグが設けられていることを特徴とする請求項１に記載の防雨水晶天窓。
【手続補正２】
【補正対象書類名】明細書
【補正対象項目名】全文
【補正方法】変更
【補正の内容】
【発明の詳細な説明】
【技術分野】
【０００１】
本発明は部屋装飾分野を取り上げて、具体的には防雨水晶天窓である。
【背景技術】
【０００２】
一般的に家屋の屋根裏は斜面であり、斜面が屋根に沿っているため、屋根裏は普通の部屋より小さく、ほとんどの屋根裏は貯蔵室として使われるが、都会や一部の低層ホテルでは、居住面積が足りなく、貯蔵室としての経済効果が低いため、屋根裏が居住用になることもあり、そのほか、屋根裏の斜面天窓は直接に月の光に照らされることができ、この特性を利用し屋根裏を改造すれば、経済効果を向上させ、人に惹かれることができ、従って、防雨水晶天窓を設計し上記の問題を解決する必要がある。
【先行技術文献】
【特許文献】
【０００３】
【特許文献１】中国特許出願公開第１０７６４０００５号明細書
【発明の概要】
【発明が解決しようとする課題】
【０００４】
本発明の目的は防雨水晶天窓を提供し、それは上記の現在の技術中の問題を解決できる。
【課題を解決するための手段】
【０００５】
上記の課題を解決するため、本発明は以下の技術プランを採用する：本発明の防雨水晶天窓は、家屋本体を含み、前記家屋本体の中には部屋が設けられ、前記部屋の左上には外に開口した窓が連通するように設けられ、前記部屋の左端壁の中には上方に開口した第一収納チャンバが設けられ、前記部屋と前記第一収納チャンバとの間には回転チャンバが連通するように設けられ、前記回転チャンバの中には窓閉め機構が設けられ、前記窓閉め機構は雨が降るときに前記窓を閉じることができ、前記第一収納チャンバの中には第一スライド溝と前記第一スライド溝の右側に位置した第二スライド溝とが前後に対称的に、且つ連通するように設けられ、前記第一スライド溝と前記第二スライド溝との間には昇降機構が設けられ、前記昇降機構には水晶筒部品が固定的に設けられ、前記昇降機構が前記水晶筒部品を昇降させることができ、前記水晶筒部品は月の光を部屋に集めることができ、前記第一収納チャンバの左端壁には押しスイッチ部品が固定的に設けられ、前記収納チャンバの左端壁にはコンセントが固定的に設けられ、前記家屋本体の頂面には前記コンセントの通電状態を制御できる降雨反応機構が固定的に設けられ、前記降雨反応機構は雨が降るときに前記コンセントを通電させることができ、二つの前記第二スライド溝の間には永久磁石ロッドがスライドできるように設けられ、前記永久磁石ロッドと前記第二スライド溝の底壁との間には第一バネが連結され、前記第二スライド溝の底壁には前記永久磁石ロッドと引き合うことができる電磁石が固定的に設けられ、前記押しスイッチ部品が反応する時に前記電磁石を通電させて前記永久磁石ロッドを吸引させることができ、前記回転チャンバの中には第一回転軸が回転できるように設けられ、前記第一回転軸には歯車と前記歯車の前側に位置した円盤とが固定的に設けられ、前記永久磁石ロッドの右端面には前記歯車と噛合したラックが固定的に設けられ、前記回転チャンバの底壁には右方に開口した第二収納チャンバが連通するように設けられ、前記円盤の底端には前記第二収納チャンバの中に伸びたガラス板が固定的に設けられ、前記円盤は前記ガラス板を回転連動させて前記窓を閉じることができ、前記第一収納チャンバの上方には円筒が設けられ、前記円筒の中には集光シートと前記集光シートの下方に位置した屈折水晶とが設けられ、前記集光シートから集められた月光が前記屈折水晶によって屈折し、特殊な光の効果が生み出されて前記部屋の中に照射され、前記円筒の底端には第一固定ブロックが固定的に設けられ、前記永久磁石ロッドの頂面には前記第一固定ブロックとヒンジによって連結された第一ヒンジロッドが固定的に設けられている。
【０００６】
優選の技術プランとして、前後二つの第一スライド溝の中には第一スライドブロックがスライドできるように設けられ、前記第一スライドブロックの中にはモーターが固定的に設けられ、前記モーターの前後端壁の中には第一空きチャンバが対称的に設けられ、前記モーターには前記第一空きチャンバに伸びている駆動軸が前後に対称的に伝動できるように設けられ、前記駆動軸には第一傘歯車が固定的に設けられ、前記第一空きチャンバの頂壁にはネジロッドが回転できるように設けられ、前記ネジロッドの底端には前記第一傘歯車と噛合した第二傘歯車が固定的に設けられ、前記ネジロッドの上方には第二スライドブロックが上下にスライドできるように設けられ、前記第二スライドブロックの中には前記ネジロッドと噛合した雌ネジが設けられ、前記円筒には連結アームが前後に対称的に固定的に設けられ、前記第二スライドブロックの頂面には前記連結アームとヒンジによって連結された第二ヒンジロッドが固定的に設けられ、前記モーターが前記ネジロッドを回転連動させ、前記ネジロッドが前記雌ネジにより前記第二スライドブロックを上下にスライド連動させ、前記第二スライドブロックが前記第二ヒンジロッドを連動させて前記円筒を昇降させる。
【０００７】
優選の技術プランとして、前記第一収納チャンバの左端壁には右方に開口した第二空きチャンバが設けられ、前記第二空きチャンバの中には第二回転軸が回転できるように設けられ、前記第二回転軸には長ロッドが固定的に設けられ、前記長ロッドと前記第二空きチャンバの底壁との間には第二バネが連結され、前記第二空きチャンバの頂壁には前記電磁石と前記モーターと通電できるように連結されたスイッチが固定的に設けられ、前記長ロッドの頂面には前記スイッチを押すことができる押しロッドが固定的に設けられ、前記長ロッドが回転し前記押しロッドに前記スイッチを押させ、前記スイッチが押されて前記モーターの通電状態を解除し、同時に前記電磁石が通電され前記永久磁石ロッドを吸引する。
【０００８】
優選の技術プランとして、前記家屋本体の頂面には第二固定ブロックが固定的に設けられ、前記第二固定ブロックの中には上方に開口した水貯めチャンバが設けられ、前記水貯めチャンバの左右端壁の間には導電棒が固定的に設けられ、前記導電棒が乾燥状態にあるときは導電しなく、前記導電棒が完全に水に浸るとき、前記導電棒が導電し、前記水貯めチャンバの後端壁には排水孔が連通するように設けられ、前記水貯めチャンバの底壁には前記コンセントと通電できるように連結されたリレーが固定的に設けられ、前記リレーと前記導電棒とが左右対称であり、且つ前記リレーと前記導電棒との間には電線が通電できるように連結され、前記モーターの左端には前記コンセントの中に挿入されて電気を提供できるプラグが設けられ、前記導電棒が完全に雨水に浸るとき、前記リレーと、前記導電棒と、前記電線とが電気回路を形成し、このとき前記リレーが通電された後に前記コンセントを通電させ、前記コンセントが前記プラグによって電気を前記モーターに提供する。
【発明の効果】
【０００９】
本発明の防雨水晶天窓は、反応が速く、照射角度の調整が自在であり、自動化レベルが高く、同時に、本発明の装置は自動的に収納でき、安全で信頼でき、使用寿命も長い。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の防雨水晶天窓の全体構成略図
【図２】図２は図１のＡ―Ａの構成略図
【図３】図３は図１のＣの拡大構成略図
【図４】図４は図１のＤの拡大構成略図
【図５】図５は図１のＥの拡大構成略図
【図６】図６は図１の円筒の左面図
【図７】図７は図１のＢ―Ｂの構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜７に示したように、本発明の防雨水晶天窓は、家屋本体１７を含み、前記家屋本体１７の中には部屋１４が設けられ、前記部屋１４の左上には外に開口した窓１５が連通するように設けられ、前記部屋１４の左端壁の中には上方に開口した第一収納チャンバ１０が設けられ、前記部屋１４と前記第一収納チャンバ１０との間には回転チャンバ４４が連通するように設けられ、前記回転チャンバ４４の中には窓閉め機構９３が設けられ、前記窓閉め機構９３は雨が降るときに前記窓１５を閉じることができ、前記第一収納チャンバ１０の中には第一スライド溝３０と前記第一スライド溝３０の右側に位置した第二スライド溝３９とが前後に対称的に、且つ連通するように設けられ、前記第一スライド溝３０と前記第二スライド溝３９との間には昇降機構９１が設けられ、前記昇降機構９１には水晶筒部品９０が固定的に設けられ、前記昇降機構９１が前記水晶筒部品９０を昇降させることができ、前記水晶筒部品９０は月の光を部屋１４に集めることができ、前記第一収納チャンバ１０の左端壁には押しスイッチ部品９２が固定的に設けられ、前記収納チャンバ１０の左端壁にはコンセント１１が固定的に設けられ、前記家屋本体１７の頂面には前記コンセント１１の通電状態を制御できる降雨反応機構９４が固定的に設けられ、前記降雨反応機構９４は雨が降るときに前記コンセント１１を通電させることができ、二つの前記第二スライド溝３９の間には永久磁石ロッド４０がスライドできるように設けられ、前記永久磁石ロッド４０と前記第二スライド溝３９の底壁との間には第一バネ４２が連結され、前記第二スライド溝３９の底壁には前記永久磁石ロッド４０と引き合うことができる電磁石５６が固定的に設けられ、前記押しスイッチ部品９２が反応する時に前記電磁石５６を通電させて前記永久磁石ロッド４０を吸引させることができ、前記回転チャンバ４４の中には第一回転軸４６が回転できるように設けられ、前記第一回転軸４６には歯車４７と前記歯車４７の前側に位置した円盤４５とが固定的に設けられ、前記永久磁石ロッド４０の右端面には前記歯車４７と噛合したラック４８が固定的に設けられ、前記回転チャンバ４４の底壁には右方に開口した第二収納チャンバ１３が連通するように設けられ、前記円盤４５の底端には前記第二収納チャンバ１３の中に伸びたガラス板４３が固定的に設けられ、前記円盤４５は前記ガラス板４３を回転連動させて前記窓１５を閉じることができ、前記第一収納チャンバ１０の上方には円筒２０が設けられ、前記円筒２０の中には集光シート１９と前記集光シート１９の下方に位置した屈折水晶１８とが設けられ、前記集光シート１９から集められた月光が前記屈折水晶１８によって屈折し、特殊な光の効果が生み出されて前記部屋１４の中に照射され、前記円筒２０の底端には第一固定ブロック３７が固定的に設けられ、前記永久磁石ロッド４０の頂面には前記第一固定ブロック３７とヒンジによって連結された第一ヒンジロッド３８が固定的に設けられている。
【００１４】
有益に、前後二つの第一スライド溝３０の中には第一スライドブロック５７がスライドできるように設けられ、前記第一スライドブロック５７の中にはモーター２７が固定的に設けられ、前記モーター２７の前後端壁の中には第一空きチャンバ２６が対称的に設けられ、前記モーター２７には前記第一空きチャンバ２６に伸びている駆動軸２８が前後に対称的に伝動できるように設けられ、前記駆動軸２８には第一傘歯車２９が固定的に設けられ、前記第一空きチャンバ２６の頂壁にはネジロッド２４が回転できるように設けられ、前記ネジロッド２４の底端には前記第一傘歯車２９と噛合した第二傘歯車２５が固定的に設けられ、前記ネジロッド２４の上方には第二スライドブロック２２が上下にスライドできるように設けられ、前記第二スライドブロック２２の中には前記ネジロッド２４と噛合した雌ネジ２３が設けられ、前記円筒２０には連結アーム５５が前後に対称的に固定的に設けられ、前記第二スライドブロック２２の頂面には前記連結アーム５５とヒンジによって連結された第二ヒンジロッド２１が固定的に設けられ、前記モーター２７が前記ネジロッド２４を回転連動させ、前記ネジロッド２４が前記雌ネジ２３により前記第二スライドブロック２２を上下にスライド連動させ、前記第二スライドブロック２２が前記第二ヒンジロッド２１を連動させて前記円筒２０を昇降させる。
【００１５】
有益に、前記第一収納チャンバ１０の左端壁には右方に開口した第二空きチャンバ３２が設けられ、前記第二空きチャンバ３２の中には第二回転軸３５が回転できるように設けられ、前記第二回転軸３５には長ロッド３４が固定的に設けられ、前記長ロッド３４と前記第二空きチャンバ３２の底壁との間には第二バネ３６が連結され、前記第二空きチャンバ３２の頂壁には前記電磁石５６と前記モーター２７と通電できるように連結されたスイッチ３１が固定的に設けられ、前記長ロッド３４の頂面には前記スイッチ３１を押すことができる押しロッド３３が固定的に設けられ、前記長ロッド３４が回転し前記押しロッド３３に前記スイッチ３１を押させ、前記スイッチ３１が押されて前記モーター２７の通電状態を解除し、同時に前記電磁石５６が通電され前記永久磁石ロッド４０を吸引する。
【００１６】
有益的に、前記家屋本体１７の頂面には第二固定ブロック４９が固定的に設けられ、前記第二固定ブロック４９の中には上方に開口した水貯めチャンバ５２が設けられ、前記水貯めチャンバ５２の左右端壁の間には導電棒５１が固定的に設けられ、前記導電棒が乾燥状態にあるときは導電しなく、前記導電棒５１が完全に水に浸るとき、前記導電棒５１が導電し、前記水貯めチャンバ５２の後端壁には排水孔５３が連通するように設けられ、前記水貯めチャンバ５２の底壁には前記コンセント１１と通電できるように連結されたリレー５４が固定的に設けられ、前記リレー５４と前記導電棒５１とが左右対称であり、且つ前記リレー５４と前記導電棒５１との間には電線５０が通電できるように連結され、前記モーター２７の左端には前記コンセント１１の中に挿入されて電気を提供できるプラグ１２が設けられ、前記導電棒５１が完全に雨水に浸るとき、前記リレー５４と、前記導電棒５１と、前記電線５０とが電気回路を形成し、このとき前記リレー５４が通電された後に前記コンセント１１を通電させ、前記コンセント１１が前記プラグ１２によって電気を前記モーター２７に提供する。
【００１７】
以下、付図と上記に説明した本出願の防雨水晶天窓の具体的な構成との参照し、使用方法を詳しく説明する：
【００１８】
晴れの日に、前記電磁石５６が前記永久磁石ロッド４０を反発し、前記永久磁石ロッド４０が前記円筒２０を前記第一収納チャンバ１０の中へ伸びさせ、前記モーター２７が正回転し前記駆動軸２７と前記第一傘歯車２９とを回転連動させ、前記第一傘歯車２９が前記第二傘歯車２５と前記ネジロッド２４とを回転連動させ、前記ネジロッド２４が前記雌ネジ２３によって前記第二スライドブロック２２を上へスライド連動させ、前記ネジロッド２４が前記第二ヒンジロッド２１によって前記円筒２０を上昇させ、上昇した前記円筒２０と前記窓１５とが同じ直線に位置し、月光を前記集光シート１９から集められた後に前記屈折水晶１８によって屈折し、特殊な光の効果が生み出された後に前記部屋１４の中に照射され、このとき装置は前記部屋１４にいい雰囲気を醸し出すことができ、効果が明らかで、エネルギーを節約し、環境に優しい。
【００１９】
雨が降るときに、降雨量が多くないとき、前記導電棒５１が前記水貯めチャンバ５２の水に完全に浸らなく、このとき前記コンセント１１が通電されなく、すなわち前記水晶筒部品が降下しなくて収納されていない。
【００２０】
降雨量が一定の限度を超えたとき、前記導電棒５１が前記水貯めチャンバ５２の水に完全に浸り、前記リレー５４と、前記導電棒５１と、前記電線５０とが電気回路を形成し、このとき前記リレー５４が通電された後に前記コンセント１１を通電させ、前記コンセント１１が前記プラグ１２によって電気を前記モーター２７に提供し、このとき前記モーター２７が通電され逆回転し、このとき前記円筒２０が降下し、前記円筒２０が水平状態になるとき前記円筒２０が前記長ロッド３４を押し、前記長ロッド３４が前記第二回転軸３５を中心に回転し前記押しロッド３３を連動させ、前記押しロッド３３が前記スイッチ３１を押し、前記スイッチ３１が押されて前記モーター２７の通電状態を解除し、同時に前記電磁石５６が通電され前記永久磁石ロッド４０を吸引し、このとき前記円筒２０が降下しなくなり、同時に前記電磁石５６が前記永久磁石４０を吸引し、前記永久磁石４０が前記水晶筒部品９０全体を連動させ前記第一収納チャンバ１０の中に収納し、外部の降雨による装置の使用寿命の縮めを防ぎ、装置は自動的に降雨量を判断し、反応が速く、自動化レベルが高い。
【００２１】
以上のように、本発明の防雨水晶天窓は、反応が速く、照射角度の調整が自在であり、自動化レベルが高く、同時に、本発明の装置は自動的に収納でき、安全で信頼でき、使用寿命も長い。
【００２２】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。